(57)【要約】【課題】外部ネットワークから親機が取得するデータを、複数の人が共有する。【解決手段】情報機器１は、表示部１２，２２を有する親機３および子機４を有し、親機から子機へのデータ送受が可能である。親機では、外部ネットワークから取得されたデータが、画像化されて親機表示部１２に表示されると共に、子機４に転送される。子機４では、転送されたデータの少なくとも一領域が画像化されて、子機表示部２２に表示される。親機表示部１２に表示中の画像には、擬似フレームが重ねて表示される。擬似フレームは、親機表示部１２に表示中の画像内の、子機表示部２２に表示されている領域を囲む。これによって、外部ネットワークから取得されたデータを複数の利用者が共有することができ、かつ、重要なデータを高品位な画質で閲覧することができる。【選択図】　　　図１
2004096482.tif 000002
【特許請求の範囲】
【請求項１】
親機と１以上の子機とを含む情報機器であって、
親機が、
外部通信網を経由する通信を行う親機通信部と、
親機通信部および外部通信網を介した外部ネットワークからのデータ取得の制御、および該データの画像化のための親機ネットワーク制御部と、
画像化されたデータを表示するための画面を有する親機表示部と、
子機との間でデータを送受するための親機転送部と、
親機ネットワーク制御部が取得したデータを画像化して親機表示部に表示させ、かつ、親機表示部に表示される画像のデータを親機転送部によって子機に転送させる親記制御部とを含み、
子機が、
親機との間でデータを送受する子機転送部と、
画像化されたデータを表示するための画面を有する子機表示部と、
子機転送部に転送されたデータが示す画像内の少なくとも一領域を、子機表示部の画面に表示させる子機制御部とを含むことを特徴とする情報機器。
【請求項２】
前記親機表示部の表示データ量が前記子機表示部の表示データ量より大きく、
前記親機制御部は、
前記子機表示部に表示されている画像が前記親機表示部に表示されている画像のどの領域であるかを確認するための前記擬似フレームを生成し、
前記親機表示部に表示されている画像に前記擬似フレームを重ねて、前記親機表示部に表示させることを特徴とする請求項１記載の情報機器。
【請求項３】
前記親機および前記子機の少なくとも一方が、前記擬似フレームの位置の移動を指示させるための操作部をさらに含み、
前記子機制御部が、操作部からの前記擬似フレームの移動の指示に応答して、前記子機転送部が受信したデータが示す画像内の前記子機表示部の画面に表示させる領域を移動させ、
前記親機制御部が、操作部からの前記擬似フレームの移動の指示に応答して、前記親機制御部に表示されている前記擬似フレームの位置を移動させることを特徴とする請求項２記載の情報機器。
【請求項４】
前記親機転送部と前記子機転送部とは、転送媒体を介して、自在に接続および切断され、
前記親機転送部と前記子機転送部とが接続された時点において、前記親機表示部の前記擬似フレームが、前記親機表示部に表示される画像内の予め定める位置に表示されており、
前記子機制御部は、前記親機表示部に表示される画像内の前記擬似フレームに囲まれる領域を、前記子機表示部に表示させることを特徴とする請求項２または３記載の情報機器。
【請求項５】
前記親機が、前記親機転送部と前記子機転送部とが接続された時点の前記擬似フレームの位置を記憶しているメモリをさらに含み、
メモリに記憶される前記擬似フレームの位置が自在に設定可能であることを特徴とする請求項３または４記載の情報機器。
【請求項６】
前記子機制御部は、前記親機表示部に表示される画像内の少なくとも一領域の前記子機表示部への表示を、禁止することを特徴とする請求項１〜５のうちのいずれか一項記載の情報機器。
【請求項７】
前記子機転送部に転送される画像のデータの信号形態が、ビットマップ形式であることを特徴とする請求項１〜６のうちのいずれか１項記載の情報機器。
【請求項８】
前記親機制御部は、前記子機に転送すべき画像のデータを予め定める圧縮方式で圧縮し、圧縮された画像のデータを転送させることを特徴とする請求項１〜６のうちのいずれか１項記載の情報機器。
【請求項９】
前記子機は、画像のデータを展開するためのメモリを有し、
前記親機制御部は、前記親機表示部に表示すべき画像全体を示すデータと、前記擬似フレームを示すデータとを、前記子機に個別に転送させ、
前記子機制御部は、転送された画像のデータをメモリに展開させ、前記擬似フレームを示すデータが転送されるたびに、メモリに展開されたデータが示す画像内の該転送されたデータが示す擬似フレームに囲まれている領域を、前記子機表示部に表示させることを特徴とする請求項２〜８のうちのいずれか１項の情報機器。
【請求項１０】
前記子機は、画像のデータを展開するためのメモリを有し、前記親機制御部は、前記親機表示部に表示すべき画像内の前記擬似フレームに囲まれる領域だけを示すデータを、前記子機に転送させ、
前記子機制御部は、転送された画像のデータをメモリに展開させ、展開されたデータが示す画像を、前記子機表示部に画像を表示させることを特徴とする請求項２〜８のいずれか１項の情報機器。
【請求項１１】
前記擬似フレームを示すデータは、該前記擬似フレームの基点の座標値と表示中の前記擬似フレームの変倍率とを少なくとも含むことを特徴とする請求項２〜１０のうちのいずれか１項記載の情報機器。
【請求項１２】
前記子機制御部は、前記親機から転送された画像内の少なくとも一領域を、予め定める縮小率で縮小して、前記子機表示部の画面に表示させることを特徴とする請求項１〜１１のうちのいずれか１項記載の情報機器。
【請求項１３】
前記子機が、前記外部ネットワークからのデータ取得の制御および該データを画像化するための子機ネットワーク制御部をさらに含み、
前記親機ネットワーク制御部が、前記外部ネットワークから取得されたデータに基づき、前記親機表示部の表示フォーマットに適合する形態の画像のデータを生成し、
前記親機制御部が、親機ネットワーク制御部で生成された画像のデータを前記親機表示部に与えて表示させ、かつ、取得されたデータを前記親機転送部から前記子機転送部に転送させ、
子機ネットワーク制御部が、前記親機から転送されたデータに基づき、前記子機表示部の表示フォーマットに適合する形態の画像のデータを生成し、
前記子機制御部が、子機ネットワーク制御部で生成された画像のデータを前記子機表示部に与えて表示させることを特徴とする請求項１〜１２のうちのいずれか１項記載の情報機器。
【請求項１４】
前記子機が２つあり、
前記親機制御部は、前記親機表示部に表示される画像内の第１の子機の前記子機表示部に表示される領域を示すデータを求め、該求められたデータを第２の子機に転送し、
第２の子機の前記子機制御部は、前記親機表示部に表示される画像内の前記親機から転送されたデータで規定される領域を前記子機表示部に表示させることを特徴とする請求項１〜１３のうちのいずれか１項記載の情報機器。
【請求項１５】
前記子機が２つあり、
前記子機転送部と前記親機転送部との間のデータの転送が、デジタル通信方式で行われており、
第１の子機の前記子機制御部は、前記子機表示部に表示した画像のデータを、第２の子機に直接転送し、
第２の子機の前記子機制御部は、第１の子機からデータが転送された画像を前記子機表示部に表示させることを特徴とする請求項１〜１３のうちのいずれか１項記載の情報機器。
【請求項１６】
前記第１の子機と前記第２の子機との間で転送される画像のデータは、ビットマップ形式のデータであることを特徴とする請求項１５記載の情報機器。
【請求項１７】
前記第１の子機が、前記外部ネットワークからのデータ取得を制御するための前記子機ネットワーク制御部をさらに含み、
前記第１の子機の前記子機ネットワーク制御部が、取得されたデータに基づき、前記子機表示部の表示フォーマットに適合する形態の画像のデータを生成し、前記第１の子機の前記子機制御部が、生成された画像のデータを前記子機表示部に与えて表示させ、かつ、前記外部ネットワークから取得されたデータを前記第２の子機および前記親機のうちの少なくとも一方に転送して表示させることを特徴とする請求項１４〜１６のうちのいずれか１項記載の情報機器。
【請求項１８】
前記親機の前記親機表示部は、前記親機から着脱可能であり、かつ、前記親機表示部と前記子機とが接続部材を介して接続可能であることを特徴とする請求項１〜１７のうちのいずれか１項記載の情報機器。
【発明の詳細な説明】
【０００１】
【発明の属する技術分野】
本発明は、公衆通信網に接続された親機および親機に接続される子機を有する情報機器であって、複数の利用者がデータを共有しうる機能を有する情報機器に関する。
【０００２】
【従来の技術】
最近、一般家庭において、パーソナルコンピュータに代表される情報機器を設置し、所謂インターネットに代表される外部ネットワークに接続されている回線網に該情報機器を接続して、電子メールに代表される外部ネットワーク上のデータサービスを利用することが普及している。また、データサービスを利用するための専用の情報機器としては、パーソナルコンピュータに代って、固定電話機または携帯電話機にコンピュータを内蔵させた構成の専用電話機も普及している。回線網としては、一般的な電話回線、サービス総合デジタル網（Ｉｎｔｅｇｒａｔｅｄ
Ｓｅｒｖｉｃｅｓ　Ｄｉｇｉｔａｌ　Ｎｅｔｗｏｒｋ：ＩＳＤＮ）回線、および高速回線が挙げられる。固定電話機を利用する外部ネットワーク上のデータサービスとしては、たとえば、東日本電信電話株式会社および西日本電信電話株式会社が提供するＬｍｏｄｅ（商品名）が挙げられる。
【０００３】
データサービス利用可能な電話機が用いられる場合、該電話機から得られるデータを、電話機を操作または携帯する者だけが独占している場合が多い。電話機から得られるデータを電話機の所有者が周囲の人と共有することは困難である。また、データサービス利用可能な電話機は、データを表示する画面が小さいために、データが見難い場合もある。このような課題を解決するために、特開平１０−６５７７３号公報、特開平１０−１１３７８号公報、および特開２００１−２１７９８６号公報において、コードレス電話の子機またはＰＨＳ（Ｐｅｒｓｏｎａｌ
Ｈａｎｄｙｐｈｏｎｅ　Ｓｙｓｔｅｍ）方式の（以下「ＰＨＳ電話機」という）電話機を用い、インターネットから取得されたデータを他の情報機器に転送して表示する技術が提案されている。
【０００４】
特開平１０−６５７７３号公報は、家庭内でインターネット通信を手軽に楽しむための端末装置を開示している。本公報の端末装置は、ＰＨＳ電話機用の接続端子と、公衆電話回線に接続するためのモデム装置と、インターネットへのデータの送受信を目的とする処理装置と、テレビ・エンコーダ回路とを、単一の筐体内に内蔵している。端末装置は、ケーブル線を介して、テレビジョン受像機に接続されている。接続端子を介して接続されるＰＨＳ電話機を経由して、およびモデム装置を介して有線接続される公衆電話回線を経由して、インターネット上のデータが端末装置に入力される。入力されたデータは処理装置によって処理され、処理結果である信号内容がテレビ・エンコーダ回路によってテレビ信号に変換され、ケーブル線を介して外部のテレビジョン受像機に与えられて表示される。
【０００５】
特開平１０−１１３７８号公報は、親機が外部通信網に接続される構成のコードレス電話機を経由してテレビジョン受像機にインターネット上のデータを表示させる技術を開示している。本公報のアクセス方法では、室内に設けられる外部通信網の端子の近傍にコードレス電話機の親機が設置され、テレビジョン受像機との信号の送受信部がコードレス電話機の子機に設けられている。テレビジョン受像機は、インターネットへのアクセス部とモデムとを内蔵する。テレビジョン受像機の表示部は、一般に、携帯電話機または据置き型の電話機の表示部よりも、大画面を有する。多数の人が同時にインターネット上のデータを視聴するために、テレビジョン受像機のアクセス部は、コードレス電話機の子機および親機と外部通信網とを経由してインターネットにアクセスし、インターネット上のデータを取得して、取得されるデータをテレビジョン受像機の表示部に表示させる。
【０００６】
特開２００１−２１７９８６公報は、ファクシミリ装置である親機と小型表示部を有する子機とを含む通信システムを開示している。子機は、携帯電話機またはコードレス子機である。電子メールデータおよびインターネット上で開示されるデータを、子機が受信および表示可能である。子機がインターネット上から取得したデータは、テキストデータに代表される簡易型データとグラフィックデータに代表される詳細データとに分類される。簡易型データは、携帯電話機の小型小型表示部に表示される。表示されない細部である詳細データは、無線通信によってファクシミリ装置に転送され、ファクシミリ装置によって紙面に印刷される。また、取得されるデータのリストが、子機の小型表示部に表示される。
【０００７】
【発明が解決しようとする課題】
特開平１０−６５７７３号公報の端末装置では、テレビジョン受像機と端末装置と外部通信網網とが有線接続されている。このため、外部通信網網と端末装置との間の配線および端末装置とテレビジョン受像機との間の配線が室内に這わされることになるため、配線が邪魔になる恐れがある。
【０００８】
また特開平１０−１１３７８号公報のアクセス方法では、外部通信網を通じて送られる信号をコードレス電話機の子機を介してテレビジョン受像機に無線送信し、インターネットデータを表示する構造になっているので、配線が室内に這わされることは解消される。しかしながら、コードレス電話機およびテレビジョン受像機が高価になると共に、コードレス電話機の形状および重量が増し、設置場所も当然ながら固定される。このため、設置場所選択の自由度が少なくなるので、インターネット上のデータが得られる部屋が限定されてしまう。
【０００９】
さらにまた、特開２００１−２１７９８６公報の通信システムでは、小型表示画面を備えた携帯電話機で得られたデータがファクシミリ装置に無線で転送されて印字されることによって、データの詳細が得られている。しかしながらファクシミリ装置の設置場所が固定されるため、屋内でも移動ができなく、データが得られる場所の自由度が少なくなる。
【００１０】
本発明の目的は、外部ネットワークへの接続が可能な親機を家屋内の定位置に設置したまま、外部通信網を経由して外部ネットワークから得られたデータの詳細を、親機を備えた宅内および屋外で複数の人が手軽に共有させることが可能な情報機器を提供することである。
【００１１】
【課題を解決するための手段】
本発明は、親機と１以上の子機とを含む情報機器であって、
親機が、
外部通信網を経由する通信を行う親機通信部と、
親機通信部および外部通信網を介した外部ネットワークからのデータ取得の制御、および該データの画像化のための親機ネットワーク制御部と、
画像化されたデータを表示するための画面を有する親機表示部と、
子機との間でデータを送受するための親機転送部と、
親機ネットワーク制御部が取得したデータを画像化して親機表示部に表示させ、かつ、親機表示部に表示される画像のデータを親機転送部によって子機に転送させる親記制御部とを含み、
子機が、
親機との間でデータを送受する子機転送部と、
画像化されたデータを表示するための画面を有する子機表示部と、
子機転送部に転送されたデータが示す画像内の少なくとも一領域を、子機表示部の画面に表示させる子機制御部とを含むことを特徴とする情報機器である。
【００１２】
本発明に従えば、情報機器は、表示部をそれぞれ有する親機および子機を有し、親機から子機へのデータ送受が可能である。親機では、外部ネットワークから取得されたデータは、画像化されて親機表示部に表示されると共に、子機に転送される。子機では、転送されたデータの少なくとも一領域が画像化されて、子機表示部に表示される。これによって、外部ネットワークから取得されて画像化されたデータを、複数の利用者によって共有することができる。
【００１３】
また本発明は、前記親機表示部の表示データ量が前記子機表示部の表示データ量より大きく、
前記親機制御部は、
前記子機表示部に表示されている画像が前記親機表示部に表示されている画像のどの領域であるかを確認するための前記擬似フレームを生成し、
前記親機表示部に表示されている画像に前記擬似フレームを重ねて、前記親機表示部に表示させることを特徴とする。
【００１４】
本発明に従えば、情報機器において、前記親機表示部の表示データ量が前記子機表示部の表示データ量より大きい場合、前記親機表示部に表示中の画像に前記擬似フレームが重ねて表示される。前記擬似フレームは、前記親機表示部に表示中の画像内の、前記子機表示部に表示されている領域を囲む。これによって、情報機器の利用者は、前記子機表示部が小型であっても、重要なデータを高品位な画質で閲覧することができる。
【００１５】
また本発明は、前記親機および前記子機の少なくとも一方が、前記擬似フレームの位置の移動を指示させるための操作部をさらに含み、
前記子機制御部が、操作部からの前記擬似フレームの移動の指示に応答して、前記子機転送部が受信したデータが示す画像内の前記子機表示部の画面に表示させる領域を移動させ、
前記親機制御部が、操作部からの前記擬似フレームの移動の指示に応答して、前記親機制御部に表示されている前記擬似フレームの位置を移動させることを特徴とする。
【００１６】
本発明に従えば、情報機器において、前記子機表示部に表示中の画像のスクロールと、前記親機表示部に表示中の前記擬似フレームの移動とが、相互に連動している。これによって、情報機器の利用者は、前記子機表示部が小型であっても、重要なデータを高品位な画質で、より確実に閲覧することができる。
【００１７】
また本発明は、前記親機転送部と前記子機転送部とは、転送媒体を介して、自在に接続および切断され、
前記親機転送部と前記子機転送部とが接続された時点において、前記親機表示部の前記擬似フレームが、前記親機表示部に表示される画像内の予め定める位置に表示されており、
前記子機制御部は、前記親機表示部に表示される画像内の前記擬似フレームに囲まれる領域を、前記子機表示部に表示させることを特徴とする。
【００１８】
本発明に従えば、情報機器において、前記親機と前記子機とが接続された時点では、前記親機表示部に表示中の画像内の前記子機表示部に表示されるべき領域が、一意的に定まっている。これによって、前記親機と前記子機との接続直後に、前記親機表示部の前記擬似フレームの位置と前記子機表示部の表示内容とを、容易に連動させることができる。
【００１９】
また本発明は、前記親機が、前記親機転送部と前記子機転送部とが接続された時点の前記擬似フレームの位置を記憶しているメモリをさらに含み、
メモリに記憶される前記擬似フレームの位置が自在に設定可能であることを特徴とする。
【００２０】
本発明に従えば、情報機器において、前記親機と前記子機との接続直後の前記擬似フレームの位置が、任意に設定可能である。これによって、情報機器の自由度が益し、使い勝手を向上させることができる。
【００２１】
また本発明は、前記子機制御部は、前記親機表示部に表示される画像内の少なくとも一領域の前記子機表示部への表示を、禁止することを特徴とする。
【００２２】
本発明に従えば、情報機器において、前記親機表示部に表示される画像の少なくとも一領域を前記子機表示部に表示することが禁止される。これによって、防犯およびプライバシー保護を確立することができる。
【００２３】
また本発明は、前記子機転送部に転送される画像のデータの信号形態が、ビットマップ形式であることを特徴とする。
【００２４】
本発明に従えば、情報機器において、前記親機から前記子機へ転送される画像のデータの信号形態として、未圧縮の形式であるビットマップ形式が選ばれている。これによって、他方式の画像のデータが転送される場合よりも、前記子機における画像処理の負荷が軽減される。
【００２５】
また本発明は、前記親機制御部は、前記子機に転送すべき画像のデータを予め定める圧縮方式で圧縮し、圧縮された画像のデータを転送させることを特徴とする。
【００２６】
本発明に従えば、情報機器において、前記親機から前記子機に転送される画像のデータは、圧縮されている。これによって、画像のデータを圧縮しない場合よりも、前記親機から前記子機へのデータの転送量を縮小することができる。
【００２７】
また本発明は、前記子機は、画像のデータを展開するためのメモリを有し、
前記親機制御部は、前記親機表示部に表示すべき画像全体を示すデータと、前記擬似フレームを示すデータとを、前記子機に個別に転送させ、
前記子機制御部は、転送された画像のデータをメモリに展開させ、前記擬似フレームを示すデータが転送されるたびに、メモリに展開されたデータが示す画像内の該転送されたデータが示す擬似フレームに囲まれている領域を、前記子機表示部に表示させることを特徴とする。
【００２８】
本発明に従えば、情報機器において、前記親機表示部に表示される画像全体のデータが前記親機から前記子機へ転送され、さらに、該画像内の前記擬似フレームを示すデータが転送される。前記子機においては、画像のデータが予めメモリに展開されており、前記擬似フレームを示すデータが転送されるたびに、メモリに展開されたデータと転送された前記擬似フレームのデータとに基づいて、前記子機表示部に画像を表示させる。これによって、前記子機表示部に表示される画像のスクロールが素早くスムーズに行われる。
【００２９】
また本発明は、前記子機は、画像のデータを展開するためのメモリを有し、
前記親機制御部は、前記親機表示部に表示すべき画像内の前記擬似フレームに囲まれる領域だけを示すデータを、前記子機に転送させ、
前記子機制御部は、転送された画像のデータをメモリに展開させ、展開されたデータが示す画像を、前記子機表示部に画像を表示させることを特徴とする。
【００３０】
本発明に従えば、情報機器において、前記親機表示部に表示される画像内の前記擬似フレームに囲まれる領域のデータだけが、前記親機から前記子機へ転送される。前記子機においては、画像内の前記擬似フレームに囲まれる領域を示すデータが転送されるたびに、転送されたデータをメモリに展開させて、展開されたデータに基づいて前記子機表示部に画像を表示させる。これによって、前記子機に備えられる画像展開用のメモリの容量を少なくすることができる。
【００３１】
また本発明は、前記擬似フレームを示すデータは、該前記擬似フレームの基点の座標値と表示中の前記擬似フレームの変倍率とを少なくとも含むことを特徴とする。
【００３２】
本発明に従えば、情報機器において、前記擬似フレームを示すデータは、前記擬似フレームの基点の座標値と表示中の前記擬似フレームの変倍率とを少なくとも含む。これによって、前記擬似フレームを画像として表すよりも、前記擬似フレームを示すデータのデータ量を大幅に削減することができる。
【００３３】
また本発明は、前記子機制御部は、前記親機から転送された画像内の少なくとも一領域を、予め定める縮小率で縮小して、前記子機表示部の画面に表示させることを特徴とする。
【００３４】
本発明に従えば、情報機器の前記子機において、前記親機から転送された画像内の少なくとも一領域が、縮小されて表示される。これによって、前記親機表示部よりも小型の画面を備える前記子機表示部であっても、前記親機と同様な画像を使用者に提示することができる。この場合、前記親機表示部に表示中の画像に、前記子機表示部において縮小表示されている領域を囲む前記擬似フレームを重ねて表示することが、より好ましい。
【００３５】
また本発明は、前記子機が、前記外部ネットワークからのデータ取得の制御および該データを画像化するための子機ネットワーク制御部をさらに含み、
前記親機ネットワーク制御部が、前記外部ネットワークから取得されたデータに基づき、前記親機表示部の表示フォーマットに適合する形態の画像のデータを生成し、
前記親機制御部が、親機ネットワーク制御部で生成された画像のデータを前記親機表示部に与えて表示させ、かつ、取得されたデータを前記親機転送部から前記子機転送部に転送させ、
子機ネットワーク制御部が、前記親機から転送されたデータに基づき、前記子機表示部の表示フォーマットに適合する形態の画像のデータを生成し、
前記子機制御部が、子機ネットワーク制御部で生成された画像のデータを前記子機表示部に与えて表示させることを特徴とする。
【００３６】
本発明に従えば、情報機器において、前記外部ネットワークからのデータ取得が前記親機と前記子機とでそれぞれ個別に可能であり、前記親機および前記子機は、前記外部ネットワークから取得したデータをそれぞれ画像化して、前記親機表示部および前記子機表示部に表示させている。このように情報機器においては、前記親機と前記子機とが、前記外部ネットワークからのデータ取得の制御および取得されたデータの表示を、並列に実行することができる。さらに、前記外部ネットワークから取得されたデータがそのまま前記親機から前記子機に転送されて、前記子機において画像化されて表示される。これによって、情報機器において、画像のデータを転送する場合よりも、前記親機と前記子機との間の転送トラフィックを小さくすることができる。
【００３７】
また本発明は、前記子機が２つあり、
前記親機制御部は、前記親機表示部に表示される画像内の第１の子機の前記子機表示部に表示される領域を示すデータを求め、該求められたデータを第２の子機に転送し、
第２の子機の前記子機制御部は、前記親機表示部に表示される画像内の前記親機から転送されたデータで規定される領域を前記子機表示部に表示させることを特徴とする。
【００３８】
本発明に従えば、情報機器において、前記子機が複数ある場合、前記親機を経由して、第１の子機から第２の子機へ、第１の子機に表示される画像が転送される。これによって、前記子機間でのデータの直接転送ができない構成であっても、第１の子機から第２の子機へ画像を転送することができる。
【００３９】
また本発明は、前記子機が２つあり、
前記子機転送部と前記親機転送部との間のデータの転送が、デジタル通信方式で行われており、
第１の子機の前記子機制御部は、前記子機表示部に表示した画像のデータを、第２の子機に直接転送し、
第２の子機の前記子機制御部は、第１の子機からデータが転送された画像を前記子機表示部に表示させることを特徴とする。
【００４０】
本発明に従えば、情報機器において、デジタル方式の前記子機が複数ある場合、第１の子機に表示される画像が、第１の子機から第２の子機へ直接転送される。これによって、第１の子機から第２の子機へ、画像を容易に転送することができる。
【００４１】
また本発明は、前記第１の子機と前記第２の子機との間で転送される画像のデータは、ビットマップ形式のデータであることを特徴とする。
【００４２】
本発明に従えば、情報機器において、複数の前記子機間で転送される画像のデータの信号形態として、未圧縮の形式であるビットマップ形式が選ばれている。これによって、他方式の画像のデータが転送される場合よりも、受信側の前記子機における画像処理の負荷が軽減される。
【００４３】
また本発明は、前記第１の子機が、前記外部ネットワークからのデータ取得を制御するための前記子機ネットワーク制御部をさらに含み、
前記第１の子機の前記子機ネットワーク制御部が、取得されたデータに基づき、前記子機表示部の表示フォーマットに適合する形態の画像のデータを生成し、前記第１の子機の前記子機制御部が、生成された画像のデータを前記子機表示部に与えて表示させ、かつ、前記外部ネットワークから取得されたデータを前記第２の子機および前記親機のうちの少なくとも一方に転送して表示させることを特徴とする。
【００４４】
本発明に従えば、情報機器において、第１の子機によって前記外部ネットワークから取得されたデータが画像化されて表示され、かつ、該取得されたデータが第２の子機および前記親機のうちのいずれか一方に転送される。これによって、第１の子機によって取得されたデータが、第２の子機および前記親機と共有される。
【００４５】
また本発明は、前記親機の前記親機表示部は、前記親機から着脱可能であり、かつ、前記親機表示部と前記子機とが接続部材を介して接続可能であることを特徴とする。
【００４６】
本発明に従えば、情報機器において、前記親機の親記表示部が着脱可能であり、かつ、親記表示部と前記子機とが接続可能に構成されている。この結果、前記親機表示部と前記子機とを組合わせて複合前記子機を構成することができる。複合前記子機は前記子機単体よりも大きな画面を有するので、大画面でのデータ表示を可能にしつつ、移動も容易にすることができる。
【００４７】
【発明の実施の形態】
図１は、本発明の実施の一形態である情報機器１の構成を示すブロック図である。図２は、図１の情報機器１を用いる通信形態を示すイメージ図である。図１と図２とを合わせて説明する。
【００４８】
情報機器１は、親機３と１台以上の子機４とを含む。親機３は、外部通信網５に接続される。親機３は、親機制御部１１と親機表示部１２と親機転送部１３と親機通信部１４と親機ネットワーク制御部１５とを含む。子機４は、子機制御部２１と子機表示部２２と子機転送部２３とを含む。情報機器１は、たとえばコードレス電話機などの電話機であり、このコードレス電話機は、後述のＰＨＳ電話機を子機として有する電話機を含む。
【００４９】
親機制御部１１は、親機３内部の総ての機能部１２〜１５を統括的に制御する。子機制御部２１は、子機４内部の機能部２２，２３を統括的に制御する。親機表示部１２および子機表示部２２は、画像化されたデータを表示するための画面を有する。親機転送部１３および子機転送部２３は、親機３と子機４との間のデータ送受を行う。好ましくは、親機転送部１３および子機転送部２３の間のデータ送受は、無線通信によって行われる。親機通信部１４は、外部通信網５を経由する通信を行う。親機ネットワーク制御部１５は、親機通信部１４および外部通信網５を介してインターネットに代表される外部ネットワークからのデータ取得を行い、さらに、取得した外部ネットワークデータを画像化する。外部ネットワークデータとは、外部ネットワークに直接または間接的に接続されるコンピュータ上から取得可能なデータであり、シーケンシャルファイルおよびバイナリファイルのどちらでも良い。
【００５０】
親機制御部１１は、取得された外部ネットワークデータを親機ネットワーク制御部１５に画像化させて親機表示部１２に表示させ、かつ、親機表示部１２に表示される画像に係るデータを親機転送部１３によって子機転送部２３に対して転送させる。子機制御部２１は、親機転送部１３から子機転送部２３に対して転送されたデータが示す画像内の少なくとも一領域を、子機表示部２２の画面に表示させる。この結果、親機３によって取得された外部ネットワークデータが、親機３だけでなく子機４でも画像化されて表示される。
【００５１】
これによって、取得された外部ネットワークデータを、情報機器１を利用する複数の利用者が同時に共有することができる。親機子機間のデータ送受が無線通信で行われていれば、親機３を定位置に設置したまま、親機３によって外部ネットワークから得られたデータの詳細を、宅内および屋外を含み親機３の設置位置から離れた任意の位置で、不特定多数の使用者に手軽に共有させることが可能になる。このように、外部通信網５を介して得られ親機３の大型表示画面に表示される画像のデータを、小型表示画面を備えた子機４に転送して表示することにより、外部通信網５の接続端子や電源端子を気にすることなく複数の人が画像のデータを共有することができる。
【００５２】
また、親機表示部１２の表示データ量が子機表示部２２の表示データ量より大きい場合がある。具体的には、親機３のほうが子機４よりも画面の面積が大きい場合、または親機３のほうが子機４よりも画面の画素数が多い場合がある。この場合、親機制御部１１は、擬似フレームを生成し、親機表示部１２に表示されている画像に該擬似フレームを重ねて、親機表示部１２に表示させる。擬似フレームは、子機表示部２２に表示されている画像が親機表示部１２に表示されている画像のどの領域であるかを確認するためのものであり、親機表示部１２に表示されている画像内の子機表示部２２に表示されている領域を囲む。この結果、情報機器１の利用者は、子機表示部２２が親機表示部１２よりも小型であっても、重要なデータを高品位な画質で閲覧することができる。
【００５３】
図１の情報機器１の具体的な構成を、図１および図２を参照して、以下に説明する。図１の例では、子機４は、いわゆるコードレス電話機であり、親機３に無線接続されている。親機通信部１４において通信に用いられる外部通信網５は、たとえば、公衆交換電話網およびまたは総合デジタル網（Ｉｎｔｅｇｒａｔｅｄ　Ｓｅｒｖｉｃｅｓ
Ｄｉｇｉｔａｌ　Ｎｅｔｗｏｒｋ：ＩＳＤＮ）回線網に代表される、音声通話が可能な外部通信網５である。外部ネットワークは、たとえば、いわゆるインターネット、ローカルエリアネットワーク（Ｌｏｃａｌ　Ａｒｅａ　Ｎｅｔｗｏｒｋ：ＬＡＮ）および広域通信網（Ｗｉｄｅ　Ａｒｅａ
Ｎｅｔｗｏｒｋ：ＷＡＮ）を含む。
【００５４】
親機３は、親機制御部１１と親機表示部１２と親機転送部１３と親機通信部１４と親機ネットワーク制御部１５との他に、親機操作部１６、親機メモリ１７、親機音声処理部１８、および親機送受話部１９を含む。子機４は、子機制御部２１と子機表示部２２と子機転送部２３との他に、子機電源部２４、子機ネットワーク制御部２５、子機操作部２６、子機メモリ２７、子機音声処理部２８、および子機送受話部２９を含む。親機および子機操作部１６，２６は、カーソルキー３１，４１をそれぞれ含む。親機および子機送受話部１９，２９は、スピーカ３２，４２とマイクロフォン３３，４３とをそれぞれ含む。親機および子機ネットワーク制御部１５，２５は、送信部３４，４４と受信部３５，４５と画像データ生成部３６，４６とそれぞれを含む。親機および子機転送部１３，２３は、アンテナ３７，４７をそれぞれ含む。
【００５５】
親機メモリ１７および子機メモリ２７は、親機３および子機４の機能部１２〜１９，２２〜２９の動作に関るプログラムおよびデータをそれぞれ格納しており、さらには、画像のデータを展開するための展開領域３８，４８が内部にそれぞれ設定されている。親機制御部１１は、親機メモリ１７に格納されているプログラムに基づき、親機３全体の動作機能を制御している。同様に、子機制御部２１は、子機メモリ２７に格納されているプログラムに基づき、子機４全体の動作機能を制御している。
【００５６】
親機操作部１６は、親機３ならびに子機４への各種の操作指示およびデータ入力の為に、情報機器１の使用者が操作可能に構成されている。親機操作部１６は、たとえば、操作キーおよびタッチパネルの少なくとも一方によって実現される。親機３および子機４へ入力されるデータとしては、たとえば、電話接続時における相手の呼出し番号、およびネットワーク接続時におけるユーアールエル（
Ｕｎｉｆｏｒｍ　Ｒｅｓｏｕｒｃｅ　Ｌｏｃａｔｏｒ：ＵＲＬ）を含む。親機制御部１１は、親機操作部１６からの操作指示およびデータ入力に応答して、親機３全体の動作機能を制御している。
【００５７】
また、親機３および子機４において、カーソルキー３１，４１は、具体的一例としては、４個のスイッチが筐体上に左右上下に並べて設けられ、４個のスイッチが単一キートップで覆割れている構成を有する。使用者がキートップを上下左右の一方向に倒すと、４個のスイッチのうちのキートップが倒された方向にあるいずれか１つが押下される。親機３および子機制御部２１は、押下されたキートップがある方向に、画面上のカーソルを移動させる。
【００５８】
親機通信部１４は、外部通信網５に接続され、送受信に際しては、外部通信網５との接続手順に基づく回線制御によって、通話先または外部ネットワーク網との接続を行う。また、送話信号を親機通信部１４から外部通信網５に出力すると共に、受話信号が外部通信網５から親機通信部１４に入力される。送話信号は、親機転送部１３を介して子機４の子機送受話部２９から親機通信部１４に入力され、または、親機送受話部１９から親機通信部１４に入力される。受話信号は、親機通信部１４から親機転送部１３を介して子機４の子機送受話部２９に出力され、または、親機通信部１４から親機送受話部１９に出力される。
【００５９】
親機ネットワーク制御部１５の送信部３４は、親機通信部１４を経由し外部通信網５を介して外部ネットワーク上のサーバコンピュータに接続され、親機操作部１６への操作指示によって指定されている外部ネットワークデータの送信をサーバコンピュータに要求する。親機ネットワーク制御部１５の受信部３５は、親機通信部１４を経由し外部通信網５を介して外部ネットワーク上のサーバコンピュータに接続され、送信部３４の要求に応答してサーバコンピュータから送信される外部ネットワークデータを受信する。外部ネットワークデータは、たとえば、ウエブ（ＷＥＢ）データに代表されるようなハイパーテキストマークアップ言語（ＨｙｐｅｒＴｅｘｔ　Ｍａｒｋｕｐ　Ｌａｎｇｕａｇｅ：ＨＴＭＬ）に基づいて記述されたテキストデータ、またはいわゆる電子メールのデータで実現される。
【００６０】
親機ネットワーク制御部１５の画像データ生成部３６は、親機ネットワーク制御部１５の受信部３５によって受信された外部ネットワークデータに基づいて、該外部ネットワークデータの内容を表す画像のデータを生成する。親機制御部１１は、生成された画像のデータを、親機メモリ１７内に設けられた展開領域３８にビットマップ形式の画像のデータとして展開し、展開された画像のデータに基づいて、親機表示部１２に該画像を表示させる。
【００６１】
外部ネットワークがインターネットである場合、たとえば、親機ネットワーク制御部１５の送信部３４は、親機通信部１４を経由し外部通信網５を介してワールドワイドウエブ（Ｗｏｒｌｄ　Ｗｉｄｅ　Ｗｅｂ：ＷＷＷ）のサーバコンピュータと接続され、親機操作部１６から入力されたＵＲＬをサーバコンピュータに送信する。親機ネットワーク制御部１５の受信部３５は、親機通信部１４を経由し外部通信網５を介してＷＷＷのサーバコンピュータと接続され、前記ＵＲＬによって特定されるＨＴＭＬのデータを、サーバコンピュータから受信する。さらにまた親機ネットワーク制御部１５は、外部ネットワークのホームページを閲覧する機能、および電子メールを送受信する機能をさらに有し、外部ネットワークから取得されたデータを格納する機能も備えている。親機ネットワーク制御部１５の画像データ生成部３６は、受信部３５によって受信されたＨＴＭＬのデータに対応する画像のデータを生成する。生成された画像のデータは、親機制御部１１の制御によって、親機メモリ１７内の表示画像メモリ領域にビットマップデータとして展開される。展開された画像データは、親機表示部１２に表示される。
【００６２】
親機転送部１３は、転送ベースバンド処理機能、モデム、および無線機能等、転送方式に対応した転送機能の一部または全てを備え、子機転送部２３との間で転送媒体５０を介してデータを送受する。子機転送部２３は、親機転送部１３と同様に、転送ベースバンド処理機能、モデム、および無線機能に代表されるような、親機転送部１３の機能に対応可能な機能を備え、親機転送部１３との間で転送媒体５０を介してデータを送受する。なお、モデム機能に代表される転送機能の一部は、専用回路の搭載によって実現することに限定されるものでなく、親機制御部１１および子機制御部２１におけるプログラム処理によって該転送機能の一部が実現されてもよい。
【００６３】
親機転送部１３ならびに子機転送部２３における転送対象のデータは、それぞれ、通話に係るデータおよび外部ネットワークデータの他に、親機表示部１２および子機表示部２２に表示される画像のデータ、親機操作部１６および子機操作部２６への入力操作に係るデータを含む。親機子機間の転送方式が無線伝送であれば、親機転送部１３および子機転送部２３はアンテナ３７，４７をさらにそれぞれ含み、赤外線に代表される光または電波を転送媒体５０として用いる。無線伝送の転送方式における信号形態は、たとえば、コードレス電話に代表されるアナログ方式、および簡易形携帯電話（Ｐｅｒｓｏｎａｌ　Ｈａｎｄｙｐｈｏｎｅ　Ｓｙｓｔｅｍ：ＰＨＳ）方式に代表されるデジタル方式が挙げられる。親機子機間のデータ転送は、無線伝送に限らず有線伝送でもよい。親機転送部１３の機能は、子機４との信号形態および搭載する機能により異なる。また転送方式における信号形態は、本発明の実施においては、アナログ方式およびデジタル方式のいずれか一方の方式に限定されるものではない。
【００６４】
子機表示部２２、子機転送部２３、子機ネットワーク制御部２５、子機操作部２６、子機音声処理部２８、および子機送受話部２９の機能は、親機表示部１２、親機転送部１３、親機ネットワーク制御部１５、親機操作部１６、親機音声処理部１８、および親機送受話部１９の機能と、それぞれほぼ等しい。なお子機４の各機能部のほうが親機３の対応する機能部よりも、詳細な機能および処理容量に代表される規模が小さい場合もある。そしてこれらの機能部に接続された子機制御部２１が、子機４全体の動作機能を制御している。子機操作部２６に子機操作部２６と同様にカーソルキー４１を備えさせることによって、図１の情報機器１の操作性が一層向上する。子機電源部２４は電池を含み、子機４全体に電力を供給している。
【００６５】
親機子機間のデータの転送は、親機３また子機４からの転送リクエストの発生に応答して実行される。親機表示部１２に表示されている内容が子機４の子機表示部２２で第三者に見てほしくない内容を含む場合がある。このような場合を考慮して、親機３に転送拒否モードを設けることによって、外部ネットワークデータの子機４への転送を拒否することができる。この場合、転送リクエストが発生しても、転送を拒否する旨が子機表示部２２に表示される。また、逆に、親機３からの一方的な転送を拒否したいときには、子機４に転送拒否モードを設ければ良い。転送拒否モードとしては、外部ネットワークデータがＷＥＢデータである場合、ＷＥＢサイトが提供する全データの転送を拒否してもよく、または、親機３または子機４で指定された一領域だけの転送を拒否してもよい。一領域の転送を拒否する場合、転送が拒否された領域を表示しないようにしてもよく、または、外部ネットワークデータに基づいて生成された画像内の転送が拒否された領域へのスクロール移動を禁止してもよい。
【００６６】
これによって、防犯およびプライバシー保護を確立する事ができる。たとえば、使用者がいわゆるインターネットバンキングへ子機４から必要事項を入力している間にそのＷＥＢサイト全体を他の子機４および親機３からモニタリングできる事は、セキュリティの面から問題がある。また、メールを親機３および子機４の双方で閲覧中に、メールの一部にプライベートな内容を含む場合がある。これらの状況下で、子機４に表示される画像の必要な領域を他の子機４および親機３で非表示にする、あるいは、該必要な領域へのスクロールを禁止することによって、セキュリティを確保しプライバシー保護を実現することができる。
【００６７】
親機子機間で転送される画像のデータの形式は、子機４での処理の容易さ等を考慮すると、ビットマップ形式の画像のデータが適当である。または、転送量を少なくするために、ジェイペグ（Ｊｏｉｎｔ　Ｐｈｏｔｏｇｒａｐｈｉｃ　Ｅｘｐｅｒｔｓ　Ｇｒｏｕｐ：ＪＰＥＧ）方式に代表される圧縮方式で圧縮された画像のデータを転送してもよい。すなわち、親機３から子機４へ転送される画像のデータが未圧縮の形式であるビットマップ形式のデータならば、他方式の画像のデータが転送される場合よりも、子機４における画像処理の負荷が軽減される。また、親機３から子機４に転送される画像のデータが圧縮されているならば、画像のデータを圧縮しない場合よりも、親機３から子機４へのデータの転送量を縮小することができる。
【００６８】
次に親機３と子機４との間の画像のデータの転送手順について述べる。親機子機間のデータ転送に間しては、図３〜図６でそれぞれ示すように、以下の４通りの手順が挙げられる。
【００６９】
図３は、親機子機間のデータ転送手順の第１の例を示している。図３（Ａ）は、親機表示部１２に表示されている画像５１を示している。図３（Ｂ）は、子機表示部２２に表示されている画像５２を示している。図３の例では、外部ネットワークのサーバコンピュータから親機ネットワーク制御部１５によって、気象データが入手されている。入手された気象データは、親機メモリ１７内の展開領域３８にビットマップ形式の画像のデータとして展開され、該画像のデータが親機表示部１２に表示される。
【００７０】
親機表示部１２に表示された画像のデータは、親機転送部１３によって子機４に転送するのに適した変調等の処理が施され、たとえば無線伝送の搬送波に乗せられて親機のアンテナ３７から子機のアンテナ３８に向って放射される。子機４では、受信した信号を子機転送部２３で増幅して画像信号として取出す。画像信号は子機メモリ２７に画像のデータとして取込まれ、図３（Ｂ）に示すように、親機表示部１２に表示されている画像の一領域が切出されて子機表示部２２に表示される。
【００７１】
親機表示部１２および子機表示部２２は、一般に、液晶パネルまたはエレクトロルミネッセンス（ｅｌｅｃｔｒｏｌｕｍｉｎｅｓｃｅｎｃｅ：ＥＬ）パネルでそれぞれ実現される。子機４は携帯に適した小型形状になっているので、子機表示部２２の画面は親機表示部１２の画面よりも小さい。具体的には、親機表示部１２の対角線が１２ｃｍ以上１５ｃｍ以下程度であるのに対し、子機表示部２２の対角線は大凡５ｃｍ程度である。しかも画面の画素密度は親機表示部１２と子機表示部２２とで同等程度になっている。このため、子機表示部２２が一度に表示可能な画像のデータは親機表示部１２が一度に表示可能な画像のデータより少ないのが普通である。
【００７２】
図３（Ｂ）に示すように、子機表示部２２には親機表示部１２に表示される画像の一領域が切出されて表示されている。すなわち。子機表示部２２の画面に表示される画像５２は親機表示部１２で表示されている画像５１の狭い一領域に過ぎないのである。この場合、子機表示部２２に表示される領域を親機表示部１２で確認できると好都合である。図３の例では、図３（Ａ）に示すように、擬似フレーム５３を生成し、画像化された外部ネットワークデータと重ねて親機表示部１２に表示するのが特徴である。
【００７３】
擬似フレーム５３は、たとえば子機表示部２２の有効表示画素数および表示画面サイズを基準にして、親機制御部１１の演算処理によって生成され、親機表示部１２に表示される。擬似フレーム５３は、親機表示部１２に表示されている画像５１内の子機表示部２２に表示されている領域を囲む。
【００７４】
子機４の利用者が子機表示部２２に表示中の画面のスクロールを望む場合、該操作者による子機４のカーソルキー４１への操作に応答して、子機表示部２２に表示中の画像のスクロール要求と、擬似フレームの移動指示入力とが発生する。スクロール要求に応答して、子機制御部２１が、子機転送部２３が受信したデータが示す画像内の子機表示部２２の画面に表示させる領域を移動させ、同時に、親機制御部１１が、擬似フレームの移動指示入力に応答して、親機制御部１１に表示されている擬似フレームの位置を移動させる。子機４において擬似フレームの移動指示入力が割込んだ場合、くわしくは、子機制御部２１は、子機制御部２１の判定基準に基づき、擬似フレームの移動を示すデータを、子機転送部２３を経由して親機３に転送する。転送された移動指示入力に応答して、親機制御部１１２によって擬似フレームの位置が更新される。
【００７５】
このように図１の情報機器１において、子機表示部２２に表示中の画像のスクロールと、親機表示部１２に表示中の擬似フレームの移動とが、相互に連動している。この結果、情報機器１の利用者は、子機表示部２２が親機表示部１２よりも小型であっても、重要なデータを高品位な画質で閲覧することができる。すなわち図１の情報機器１では、親機３の画面に擬似フレームを表示することによって、親機３の画面のどの領域の内容が現在子機４に表示されているかを取得することができる。これによって情報機器１の利用者は、子機表示部２２が親機表示部１２よりも小型であっても、疑似フレームとスクロール機能によって、重要なデータを高品位な画質で取得することができる。また親機３の画面の表示内容を子機４でモニタリングすることが可能であり、逆に子機４の画面の表示内容を親機３でモニタリングすることも可能である。この結果、どのようなサイトのデータが表示されているかを、親機３と子機４とで相互に取得することが可能である。
【００７６】
また図１の情報機器１においては、親機転送部１３と子機転送部２３とは、転送媒体５０を介して、自在に接続および切断される。親機転送部１３と子機転送部２３とが接続された時点において、好ましくは、親機表示部１２に表示される画像内の予め定める位置に、親機表示部１２の擬似フレームが表示されており、子機制御部２１は、親機表示部１２に表示される画像内の擬似フレームに囲まれる領域を、子機表示部２２に表示させる。具体的には、親機３と子機４とが転送媒体５０を介して接続されて新たな画像のデータの転送を開始する最初の段階での擬似フレームの位置は、親機表示部１２の中央部または左上に設定するのが好適である。このように、親機３と子機４との接続直後であって画像のデータの転送開始時点では、親機表示部１２に表示中の画像内の子機表示部２２に表示されるべき領域が、一意的に定まっている。これによって、親機３と子機４との接続直後に、親機表示部１２の擬似フレームの位置と子機表示部２２の表示内容とを、容易に連動させることができる。
【００７７】
また、親機３に設定変更のための構成を設けることにより、擬似フレームの初期位置を利用者の好みの位置に変更することを可能にしてもよい。たとえば、親機転送部１３と子機転送部２３とが接続された時点の擬似フレームの位置を親機メモリ１７に記憶させ、かつ、親機メモリ１７に記憶される擬似フレームの位置を、親機操作部１６からの入力に応答して自在に設定可能にすればよい。これによって、情報機器１の自由度が益し、使い勝手を向上させることができる。
【００７８】
さらにまた、親機表示部１２では、画像化された外部ネットワークデータと擬似フレームとが重なるので、両者を明確に区別できることが好ましい。たとえば、擬似フレームの枠内と枠外で画像の表示色を変更してもよく、擬似フレーム自体を点滅表示させてもよい。さらには、擬似フレームの表示色および点滅状態を、利用者が好みに合せて自由に選ぶようにしても良い。
【００７９】
擬似フレームの位置、すなわち子機表示部２２の表示領域の変更は、親機３のカーソルキー３１および子機４カーソルキー４１の少なくとも一方によって指示されるのが好適である。すなわち親機３および子機４のカーソルキー３１，４１のうちのいずれか一方が「←」方向に押されれば、親機表示部１２に表示の擬似フレームが現在位置よりも左側に移動し、「↑」方向に押されれば、擬似フレームが現在位置よりも上側に移動する。擬似フレームの移動に応答して、親機表示部１２に表示中の画像内の子機表示部２２に表示される領域が、擬似フレームの移動に応じて変化する。子機４のカーソルキー４１の操作に応答して擬似フレームを移動させる場合、具体的には、移動後の擬似フレームを示すデータが、子機転送部２３から親機転送部１３を経由して親機制御部１１に転送される。これに応答して、親機表示部１２に移動後の擬似フレームが表示されると共に、親機表示部１２に表示中の画像内の移動後の擬似フレームに囲まれる領域が子機表示部２２に表示される。
【００８０】
親機転送部１３から子機転送部２３への画像のデータの転送の際には、好ましくは、親機表示部１２に表示される画像のビットマップ形式のデータそのものが転送される。擬似フレームを示すデータの転送に際しては、擬似フレームのビットマップ形式のデータを転送する必要はなく、擬似フレームの位置を規定するためのデータを転送すれば充分である。擬似フレームを示すデータは、たとえば、親機表示部１２に表示中の画像内の子機表示部２２に表示されるべき移動後の領域の二箇所の基点の座標（Ｘ１、Ｙ１），（Ｘ２、Ｙ２）で実現される。二箇所の基点は、たとえば、矩形の擬似フレームの対角に位置する２つの頂点で実現される。座標に代って、ベクトル値を用いても良い。また子機４の画像の拡大縮小が可能であれば、擬似フレームを示すデータとして、擬似フレームの１箇所の基点の座標値と拡大縮小比率とを用いれば良い。
【００８１】
このように、擬似フレームを示すデータは、擬似フレームの基点の座標値を最低限含めば良い。また子機表示部２２において画像の拡大縮小が可能であれば、擬似フレームの対角に位置する２箇所の基点の座標値、または擬似フレームの１箇所の基点の座標値と擬似フレームの変倍率とを最低限含めば良い。この結果、擬似フレームを画像として表すよりも、擬似フレームを示すデータのデータ量を大幅に削減することができる。
【００８２】
擬似フレームの移動要求の操作は、上述したように、親機３のカーソルキー３１および子機４カーソルキー４１のどちらでも可能である。親機３および子機４のカーソルキー３１，４１双方から移動要求が同時に発生した場合、たとえば、先に要求した機器に決定権が与えられる。または、親機３および子機４のいずれか一方に優先権を与えても良く、優先権は親機３および子機４の使用環境に応じて設定すれば良い。また使用環境によっては、擬似フレーム３３の移動に掛る設定の権利を、親機３および子機４のいずれか一方に限定することもできる。
【００８３】
図１の情報機器１では、親機３と子機４との間の画像データ転送システムにおいて、画像のデータの転送途中に音声通話の割込み要求を受付け可能な機能を設けている。具体的には、音声割込みが入る前に子機４に与えられている画像のデータが子機メモリ２７に保持されており、画像のデータの転送中に音声通話の割込み要求が入った場合、子機表示部２２の表示内容は、音声割込みが入る前に子機４に与えられている画像のデータが子機メモリ２７に保持され、子機４の表示が維持される。これによって、画像のデータの転送途中であっても、親機送受話部１９および子機送受話部２９を用いて音声通話をすることができる。
【００８４】
また音声通話の割込み機能を用いて、子機４から要望するデータがどの領域に含まれているかを親機３に音声で問合せをして、子機４で必要な領域を親機３のカーソルキー３１，４１を用いて親機３で決定しても良い。たとえば、デジタルカメラで撮影した集合写真が外部ネットワークを介して情報機器１に送られてきた場合、どの領域に希望する対象物または人が映っているかを子機４で探すのは難しい。親機表示部１２の画面は子機表示部２２よりも大きいので、どの領域に希望する写真があるかを極めて容易に見出すことができる。親機３カーソルキー３１，４１を用いて擬似フレームの位置を決定し、子機４に転送すれば良い。また、ニュースの分野や項目を選定する場合も同様である。
【００８５】
図１の情報機器１では、親機３の親機メモリ１７に展開された画像データが、親機転送部１３および子機転送部２３を経由して子機４に転送されて、親機表示部１２に表示されている擬似フレームで囲まれる領域が子機表示部２２に表示される。親機３に表示されている画像のデータを子機４に転送する手順は、以下の二通りある。
【００８６】
第１の手順では、まず、親機メモリ１７の展開領域３８に展開されている全てのビットマップ形式の画像のデータが、親機３と子機４とのデータの転送開始時に子機４に一挙に転送されて、親機３と同じ画像のデータが子機メモリ２７の展開領域４８に予め展開されている。擬似フレームを示すデータは、画像のデータとは別に、親機３と子機４との間で送受される。親機３または子機４のカーソルキー３１，４１の操作に応答して擬似フレームの位置が変更される度に、新たな擬似フレームを示すデータが、親機３と子機４との間で送受される。擬似フレームを示すデータが更新されるたびに、子機メモリ２７の展開領域４８に展開されている画像のデータと最新の擬似フレームを示すデータとに基づいて、該画像内の新たな擬似フレームで設定される領域が子機表示部２２に表示される。
【００８７】
第２の手順では、親機３カーソルキー３１，４１または子機４カーソルキー３１，４１の操作に応答して擬似フレームの位置が変更される度に、親機表示部１２に表示される画像内の位置変更後の擬似フレームで囲まれる領域のデータだけが、子機４に転送される。子機４では、擬似フレームで囲まれる領域のデータが転送されるたびに、該データが子機メモリ２７の展開領域４８で展開され、子機表示部２２に表示される。
【００８８】
第１の手順を用いる場合、第２の手順を用いる場合よりも子機メモリ２７のメモリ容量が増すが、親機３または子機４のカーソルキー３１，４１の操作に応答して子機４で表示すべき画像をスクロール移動させる際に、子機表示部２２に表示される画像のスクロールが早くスムーズになる。また第２の手順を用いる場合、第１の手順を用いる場合よりも子機メモリ２７のメモリ容量が少なくて済むが、子機４で表示すべき画像をスクロール移動させる際に、子機表示部２２に表示される画像のスクロールが不自然な場合もある。第１および第２の手順のどちらを採用するかは、たとえば、コスト、見易さ、ならびに親機転送部１３および子機転送部２３の転送特性に代表される情報機器１の構成条件のいずれに重点を置くかに応じて決定すれば良い。
【００８９】
図４は、図１の情報機器１における親機子機間のデータ転送手順の第２の例を示している。図４（Ａ）は、親機表示部１２に表示されている画像５５を示している。図４（Ｂ）は、子機表示部２２に表示されている画像５６を示している。図４の例では、親機３において、外部ネットワークのサーバコンピュータから取込んだ外部ネットワークデータが親機ネットワーク制御部１５で処理されて画像化される。この結果得られる画像のデータを、親機制御部１１が、親機メモリ１７内の展開領域に展開させたうえで親機表示部１２に表示させるとともに、親機転送部１３を介して子機４に転送させる。子機４では、転送された画像のデータに基づいて、図４（Ｂ）に示すように、子機表示部２２に該画像の全体または一領域が縮小表示される。
【００９０】
このように、情報機器１の子機４において、親機３から転送された画像内の少なくとも一領域が、縮小されて表示される。この結果、親機表示部１２よりも小型の画面を備える子機表示部２２であっても、親機３と同様な画像を使用者に提示することができる。これによって使用者は、親機表示部１２に表示される画像からと同様のデータを、子機表示部２２に表示される画像から取得することができる。
【００９１】
子機表示部２２に表示すべき画像の縮小処理の第１の手順としては、親機制御部１１によって該画像を縮小して、縮小後の画像のデータを子機４へ転送し、転送された縮小後の画像が子機表示部２２に表示される。第２の手順としては、親機表示部１２に表示される画像のデータをそのまま子機４へに転送し、転送された画像のデータの縮小処理を子機制御部２１によって行い、縮小後の画像が子機表示部２２に表示される。縮小処理手順は、第１および第２のどちらの手順を用いても良い。
【００９２】
また、子機表示部２２に表示される画像の縮小率は、常に一定であっても良いが、親機操作部１６または子機操作部２６への操作に応答して縮小率が可変になるようにしてもよい。これによって、子機表示部２２における画像のズーミングが可能になるので、必要な領域を必要な倍率で子機表示部２２に表示することが可能になる。さらにまた、親機表示部１２に表示中の画像内のズーミングによって子機表示部２２に表示されている領域を、親機表示部１２８の表示画面上に重ねて表示する疑似フレームによって囲んで明示すれば、一層好都合である。擬似フレームの表示手順は、図３で説明した手順と等しい。
【００９３】
このように図１の情報機器１で親機子機間の画像表示の連動手順としては、図３に示すように、親機表示部１２に表示中の画像内から子機表示部２２で表示できる領域を忠実に切出して表示させる手順と、図４に示すように、親機表示部１２８の表示中の画像の全体または一領域をズーミングによって切出して広範囲な領域を子機表示部２２で表示する手順との２通りの手順がある。これら２通りの手順は、外部ネットワークから得られるデータの内容に応じて選択したい場合が多い。したがって、図１の情報機器１では、上記２通りの手順を相備えた機能によって切換えることが、さらに好ましい。
【００９４】
図５および図６では、外部ネットワークデータがテキストデータである場合の、親機３と子機４との間のデータ転送手順を示す。図５は、親機子機間のデータ転送手順の第３の例であって、外部ネットワークデータがテキストデータである場合の第１の例を示している。図５（Ａ）は、親機表示部１２に表示されている画像６１を示している。図５（Ｂ）は、子機表示部２２に表示されている画像６２を示している。図５の例では、外部ネットワークのサーバコンピュータから、テキストデータが入手されている。入手されたテキストデータに基づいて、親機ネットワーク制御部１５の画像データ生成部３６，４６がテキストデータに対応する画像のデータを生成する。生成された画像のデータは、親機表示部１２に表示されると共に、親機転送部１３を介して子機４に転送される。子機４では、転送された画像のデータの少なくとも一部分が、子機表示部２２に表示される。転送された画像内の子機表示部２２で表示される領域を子機４のカーソルキー３１，４１への操作に応答して左右上下にスクロールさせることによって、子機表示部２２の表示内容を変更する。
【００９５】
これまで図３〜図５を用いて説明した例は、いずれも、外部ネットワークのサーバコンピュータから取得したデータを、親機３で画像化および展開し、展開された画像のデータを、親機表示部１２で表示すると共に、子機４にも転送して子機表示部２２に表示されている。此れとは異なる例を、図６を用いて説明する。図６は、親機子機間のデータ転送手順の第４の例であって、外部ネットワークデータがテキストデータである場合の第２の例を示している。図６（Ａ）は、親機表示部１２に表示されている画像６５を示している。図６（Ｂ）は、子機表示部２２に表示されている画像６６を示している。第２の例では、外部ネットワークのサーバコンピュータから、テキストデータが入手されている。
【００９６】
図６の例では、親機３から子機４へのデータの転送に際し、外部ネットワークデータを画像化して得られる画像のデータに代わって、外部ネットワークのサーバコンピュータから得られたデータそのものが、親機３から子機４に転送される。すなわち、子機ネットワーク制御部２５の画像データ生成部３６，４６が、親機３から転送された外部ネットワークデータに基づいて子機表示部２２で表示するための画像データを生成する。生成された画像のデータは、子機制御部２１を介して、子機メモリ２７内の展開領域に展開され、展開後の画像のに基づいて子機表示部２２に画像を表示する。図５で説明したような展開された画像のデータを親機３から子機４に転送する手順と比べて、図６の手順は、図６は図５と同じ外部ネットワークデータを表示しているが、図６の場合は子機４の画面内で改行されているので、子機４のカーソルキー３１，４１によって縦方向のスクロールを指示するだけで、外部ネットワークデータを順次表示することができる。
【００９７】
このように図１の情報機器１において、外部ネットワークからのデータ取得が親機３と子機４とでそれぞれ個別に可能であれば、親機３および子機４は、外部ネットワークから取得したデータをそれぞれ画像化して、親機表示部１２および子機表示部２２に表示させることができる。このように情報機器１においては、親機３と子機４とが、外部ネットワークからのデータ取得の制御および取得されたデータの表示を、並列に実行することができる。さらに、外部ネットワークから取得されたデータがそのまま親機３から子機４に転送されて、子機４において画像化されて表示される。これによって、情報機器１において、画像のデータを転送する場合よりも、親機３と子機４との間の転送トラフィックを小さくすることができる。また、図５および図６の手順でも図３および図４の手順と同様に、親機表示部１２の画面に擬似フレームを表示することによって、子機表示部２２に表示される内容を親機３で確認することができる。擬似フレームの操作手順および信号処理は、図３および図４に関して説明したものと同様である。
【００９８】
図３〜図５で説明したような、外部ネットワークから取得されたデータを親機３で画像化して、画像のデータを子機４に転送する手順では、親機３だけがネットワーク制御部１５を備えれば良く、子機ネットワーク制御部２５が不用になるので、子機４の構成が簡略化される。また、図６で説明したような、外部ネットワークから取得されたデータをそのまま子機４に転送する手順では、親機３と子機４との間のデータ転送のトラフィックが画像のデータを転送する場合よりも小さくて済む。これら２通りの手順のどちらを採用するかは、コスト、見易さ、ならびに親機転送部１３および子機転送部２３の転送特性等の構成用件のいずれに重点を置くかに応じて、適宜決定すれば良い。
【００９９】
図７は、図１の情報機器１において、子機がアナログ方式のコードレス電話であり、かつ子機が複数台存在する場合の構成例を示す。図７では、子機は２台存在している。図７の構成例において、親機３から第１子機７１に転送された画像のデータを第２子機７２にさらに転送したい要望がある。しかし、アナログ方式のコードレス電話である第１子機７１と第２子機７２との間では、データの直接転送は困難である。この場合、第１子機７１から親機３を経由して第２子機７２にデータを転送するようにすればよい。これによって、複数台の子機４間でのデータの直接転送ができない構成であっても、子機４同士でデータを転送することができる。
【０１００】
第１子機７１に表示中の画像を親機３経由で第２子機７２に転送する手順は、以下の二通りある。第１の手順では、第１子機７１に表示中の画像のデータを親機３にそのまま転送し、親機３に転送された画像のデータを第２子機７２にそのまま再転送する。第２の手順では、第１子機７１の現在の表示内容を親機制御部１１が判断し、第１子機７１の表示内容と同一の内容を示すデータを第２子機７２に転送して、第２子機７２の画面に表示させる。表示内容は、たとえば、親機３が第１子機７１に転送した画像内において第１子機７１で現在表示中の領域と、第１子機７１における該領域の現在の縮小率と示す。これによって、第１子機７１から第２子機７２に画像のデータを転送することと同等の結果が得られる。図７において説明する転送手順は、第１子機７１および第２子機７２がデジタル方式のコードレス電話で実現される場合にも、適用可能である。すなわち図７の転送手順は、子機４の転送機構の構成に拘らずに適用することができる。
【０１０１】
図８は、図１の情報機器１において、子機がＰＨＳ方式のコードレス電話であり、かつ子機４が複数台存在する場合の構成例を示す。図８では、子機は２台存在している。ＰＨＳ方式のコードレス電話の転送方式はデジタル方式である。ＰＨＳ方式の子機７３，７４は、コードレスで相互に接続されて音声通話が可能であることは勿論であるが、子機７３，７４同士での画像通信も可能である。図８の構成例において、親機３から第１子機７３に転送された画像のデータを第２子機７４にさらに転送したい場合、２台の子機７３，７４がデジタル方式なので、親機３を経由することなく、第１子機７３に表示される画像のデータを第２子機７４に直接転送することができる。第１子機７３および第２子機７４の具体的な構成は図１の子機４と略同じであるが、これに限定されるものではない。
【０１０２】
また情報機器１において、複数の子機７１，７２；７３，７４間で転送される画像のデータの信号形態として、未圧縮の形式であるビットマップ形式が選ばれている。これによって、他方式の画像のデータが転送される場合よりも、受信側の子機４における画像処理の負荷が軽減される。
【０１０３】
さらにまた、コードレスの第１子機７１、７３および第２子機７２、７４の少なくとも一方が、親機３を経由して外部ネットワークに接続可能な場合、外部ネットワークデータを子機４が取得することができる。図８の例では、第１子機７１，７３が外部ネットワークから外部ネットワークデータを取得し、第１子機７１，７３の子機表示部２２の表示フォーマットに合わせて画像化して、該子機表示部２２に表示している。第１子機７１，７３の子機表示部２２は小型なので、大型画面を備えた親機３に表示中の画像のデータを転送し、親機３の親機表示部１２の表示フォーマットに合わせて画像化して、親機表示部１２に表示させることができる。また、第１子機７１，７３で取得したデータを第２子機７２，７４に転送し、子機７１，７２；７３，７４同士でデータを共有することもできる。
【０１０４】
なお、図１の情報機器１においては、好ましくは、親機表示部１２が親機３から着脱可能に構成されている。親機３から外された親機表示部１２に画像転送機能を追加することによって、親機表示部１２を子機４と同様に使用することも可能である。また好ましくは図９に示すように、コネクタおよびケーブルに代表される接続部材を介して親機表示部１２に接続可能である。この結果、親機３から着脱された親機表示部１２に子機４を装備して、複合子機４を構成することができる。複合子機４では、親機３が外部通信網５から得たデータを子機４に転送したうえで、親機３の大型表示画面に表示することが可能になる。複合子機４はコードレスで屋内での移動が可能であり、かつ、子機４よりも大画面でのデータ表示が可能になる。
【０１０５】
以上説明したように、本実施の形態の情報機器１は、コンピュータを内蔵した専用の電話機で実現される親機３を家屋内の定位置に固定設置したままで、電話回線、ＩＳＤＮ回線および高速回線を経由して得られる外部ネットワークデータを、表示部を備えたコードレス電話で実現される子機４を用いて、複数の利用者が宅内外のどこからでも手軽に共有できる。これによって、親機３から離れた位置から外部ネットワークデータを手軽に取得することができる。
【０１０６】
以上の説明において、本実施の形態の情報機器１は、コンピュータを内蔵した専用の電話機または専用のファクシミリを親機３として、外部通信網５を介して外部外部ネットワークのサーバに親機３を接続することによって、データサービスの取得および電子メールの送受信を可能としている。本実施の形態の情報機器１の適応範囲は、図１〜図９で説明した詳細構成に限定されるものではなく、本発明を逸脱しない範囲において種々の変形実施が可能である。
【０１０７】
このような構成を有することによって、情報機器１においては、外部通信網５を介して親機３で得られた外部ネットワークデータを画像化して親機表示部１２に表示できることは勿論であり、さらに該外部ネットワークデータを子機表示部２２にも表示することができるのである。
【０１０８】
【発明の効果】
以上のように本発明によれば、情報機器は、表示部をそれぞれ有する親機および子機を有し、親機から子機へのデータ送受が可能である。外部ネットワークから親機によって取得されたデータは、親機表示部に表示されると共に、子機に転送されて子機表示部に表示される。これによって、外部ネットワークから取得されて画像化されたデータを、複数の利用者が共有することができる。
【０１０９】
また本発明によれば、情報機器において、親機表示部の表示データ量が子機表示部の表示データ量より大きい場合、親機表示部に表示中の画像に擬似フレームが重ねて表示される。これによって、情報機器の利用者は、子機表示部が小型であっても、重要なデータを高品位な画質で閲覧することができる。
【０１１０】
さらにまた本発明によれば、情報機器において、子機表示部に表示中の画像のスクロールと、親機表示部に表示中の擬似フレームの移動とが、相互に連動している。これによって、情報機器の利用者は、子機表示部が小型であっても、重要なデータを高品位な画質で、より確実に閲覧することができる。また本発明によれば、情報機器において、親機と子機とが接続された時点では、親機表示部に表示中の画像内の子機表示部に表示されるべき領域が、一意的に定まっている。これによって、親機と子機との接続直後に、親機表示部の擬似フレームの位置と子機表示部の表示内容とを、容易に連動させることができる。
【０１１１】
さらにまた本発明によれば、情報機器において、親機と子機との接続直後の擬似フレームの位置が任意に設定可能である。これによって、情報機器の使い勝手を向上させることができる。また本発明によれば、情報機器において、親機表示部に表示される画像の少なくとも一領域の子機表示部への表示が禁止される。これによって、防犯およびプライバシー保護を確立する事ができる。
【０１１２】
さらにまた本発明によれば、情報機器において、親機から子機へ転送される画像のデータは、ビットマップ形式のデータである。これによって、他方式の画像のデータが転送される場合よりも、子機における画像処理の負荷が軽減される。また本発明によれば、情報機器において、親機から子機に、圧縮された画像のデータが転送される。これによって、画像のデータを圧縮しない場合よりも、親機から子機へのデータの転送量を縮小することができる。
【０１１３】
さらにまた本発明によれば、情報機器において、親機表示部に表示される画像全体のデータと、画像内の擬似フレームを示すデータがとが、個別に転送される。これによって、子機表示部に表示される画像のスクロールが素早くスムーズに行われる。また本発明によれば、情報機器において、親機表示部に表示される画像内の擬似フレームに囲まれる領域のデータだけが、親機から子機へ転送される。これによって、子機の画像展開用のメモリの容量を少なくすることができる。さらにまた本発明によれば、情報機器において、擬似フレームを示すデータは、擬似フレームの基点の座標値と表示中の擬似フレームの変倍率とを少なくとも含む。これによって、擬似フレームを示すデータのデータ量を大幅に削減することができる。
【０１１４】
また本発明によれば、情報機器の子機において、親機から転送された画像内の少なくとも一領域が縮小表示される。これによって、子機表示部の画面が親機表示部よりも小型であっても、親機と同様な画像を表示することができる。さらにまた本発明によれば、情報機器において、外部ネットワークからのデータ取得が親機と子機とでそれぞれ個別に可能であり、かつ、外部ネットワークから取得されたデータが其のまま親機から子機に転送されて、子機において画像化されて表示される。これによって、情報機器において、画像のデータを転送する場合よりも、親機と子機との間の転送トラフィックを小さくすることができる。
【０１１５】
また本発明によれば、情報機器において子機が複数ある場合、親機を経由して、第１の子機から第２の子機へ、第１の子機に表示される画像が転送される。これによって、子機間でのデータの直接転送ができない構成であっても、子機間の画像の転送が可能になる。さらにまた本発明によれば、情報機器においてデジタル方式の子機が複数ある場合、第１の子機に表示中の画像が、第１の子機から第２の子機へ直接転送される。これによって、子機間の画像の転送が容易になる。
【０１１６】
さらにまた本発明によれば、情報機器において、複数の子機間では、ビットマップ形式の画像のデータが転送される。これによって、他方式の画像のデータが転送される場合よりも、受信側の子機における画像処理の負荷が軽減される。また本発明によれば、情報機器において、第１の子機によって外部ネットワークから取得されたデータが、第２の子機および親機のうちのいずれか一方に転送される。これによって、第１の子機によって取得されたデータを、第２の子機および親機と共有することができる。
【０１１７】
さらにまた本発明によれば、情報機器において、親機の親記表示部が着脱可能であり、かつ、親記表示部と子機とが接続可能に構成されている。これによって、大画面でのデータ表示を可能にしつつ、移動も容易にすることができる。
【図面の簡単な説明】
【図１】本発明の実施の一形態である情報機器１の構成を示すブロック図である。
【図２】図１の情報機器１の通信形態を示すイメージ図である。
【図３】図１の情報機器１における第１の親機子機転送手順に基づく親機３および子機４の表示状況を示す模式図である。
【図４】図１の情報機器１における第２の親機子機転送手順に基づく親機３および子機４の表示状況を示す模式図である。
【図５】図１の情報機器１における第３の親機子機転送手順に基づく親機３および子機４の表示状況を示す模式図である。
【図６】図１の情報機器１における第４の親機子機転送手順に基づく親機３および子機４の表示状況を示す模式図である。
【図７】図１の情報機器１における第１の子機間転送手順を説明するためのイメージ図である。
【図８】図１の情報機器１における第２の子機間転送手順を説明するためのイメージ図である。
【図９】図１の情報機器１における複合子機の外観を示すイメージ図である。
【符号の説明】
１　情報機器
３　親機
４，７１〜７４　子機
５　外部通信網
１１　親機制御部
１２　親機表示部
１３　親機転送部
１４　親機通信部
１５　親機ネットワーク制御部
１６　親機操作部
１７　親機メモリ
１８　親機音声処理部
１９　親機送受話部
２１　子機制御部
２２　子機表示部
２３　子機転送部
２４　電源部
２５　子機ネットワーク制御部
２６　子機操作部
２７　子機メモリ
２８　子機音声処理部
２９　子機送受話部
３１　親機のカーソルキー
３８　親機メモリの展開領域
４１　子機のカーソルキー
４８　子機メモリの展開領域
５１，５５，６１，６５　親機に表示中の画像
５２，５６，６２，６６　子機に表示中の画像
５３　擬似フレーム
【図１】
2004096482.tif 000003
【図２】
2004096482.tif 000004
【図３】
2004096482.tif 000005
【図４】
2004096482.tif 000006
【図５】
2004096482.tif 000007
【図６】
2004096482.tif 000008
【図７】
2004096482.tif 000009
【図８】
2004096482.tif 000010
【図９】
2004096482.tif 000011